【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
ＣＯ２含有ガスからＣＯ２を除去する方法であって、
ａ）  ＣＯ２含有ガスから、水性相液体を用いてＣＯ２を洗浄し、ＣＯ２に富む水性相を形成することであって、そこで、水性相液体がほぼ大気圧より大きな圧力になっており、かつ水性相液体が洗浄前に少なくとも約７．０のｐＨを有すること、及び
ｂ）  前記ＣＯ２に富む水性相を、海洋環境、陸地構成物、又はそれらの組合せの少なくとも一つ中に廃棄することであって、そこで、ＣＯ２含有ガスから除去されたＣＯ２の約７５％以上が前記水性相中に溶解したままになっていることを確実にするのに充分な温度、圧力、及びｐＨで、前記ＣＯ２に富む水性相の廃棄が行われること、
を含む上記ＣＯ２除去方法。
【請求項２】
ＣＯ２含有ガスが、フィッシャー・トロプシュＧＴＬ工程流中に存在する、請求項１に記載の方法。
【請求項３】
ＣＯ２含有ガスからＣＯ２を洗浄する前に、塩基性物質で水性相液体のｐＨを調節することをさらに含む、請求項１に記載の方法。
【請求項４】
ｐＨが、アルカリ性物質を加えること、アンモニアを加えること、塩基を加えること、またはそれらの組み合わせによって調節される、請求項３に記載の方法。
【請求項５】
ＣＯ２含有ガスから除去されたＣＯ２の約９０％以上が、水性相中に溶解したままになっている、請求項１に記載の方法。
【請求項６】
ＣＯ２含有ガスからＣＯ２を洗浄する前に、水性相液体を脱気することをさらに含む、請求項１に記載の方法。
【請求項７】
水性相液体が、海水、フィッシャー・トロプシュ工程中に発生した反応水、フィッシャー・トロプシュ工程からの使用済み冷却用水、川水、持ち運び出来ない水源、未加工物又はガス製造から回収された水、及びそれらの組合せからなる群から選択される、請求項１に記載の方法。
【請求項８】
陸地構成物が、ＣＯ２含有ガスを与える源と同じか又は異なる炭化水素質構成物、非ヒドロ炭素質構成物、又はそれらの組合せからなる群から選択される、請求項１に記載の方法。
【請求項９】
ＣＯ２含有ガスが、炉からの廃棄ガスである、請求項１に記載の方法。
【請求項１０】
フィッシャー・トロプシュＧＴＬ法でメタン含有ガスを液体炭化水素へ転化する方法であって、
ａ）  メタン含有ガスを合成ガスへ転化すること、
ｂ）  前記合成ガスの少なくとも一部分を液体炭化水素及びＣＯ２含有ガスへ転化すること、
ｃ）  水性相液体を用いてＣＯ２含有ガスからＣＯ２を洗浄し、ＣＯ２に富む水性相を形成することであって、そこで、洗浄中、水性相液体がほぼ大気圧より大きな圧力になっており、かつ水性相液体が洗浄前に少なくとも７．０のｐＨを有すること、及び
ｄ）  前記ＣＯ２に富む水性相を、海洋環境、陸地構成物、又はそれらの組合せの少なくとも一つ中に廃棄することであって、そこで、ＣＯ２含有ガスから除去されたＣＯ２の約７５％以上が前記水性相中に溶解したままになっていることを確実にするのに充分な温度、圧力、及びｐＨで、前記ＣＯ２に富む水性相の廃棄が行われること、
を含む上記転化方法。
【請求項１１】
ＣＯ２含有ガスから除去されたＣＯ２の約９０％以上が、水性相中に溶解したままになっている、請求項１０に記載の方法。
【請求項１２】
水性相液体が、海水、フィッシャー・トロプシュ工程中に発生した反応水、フィッシャー・トロプシュ工程からの使用済み冷却用水、川水、持ち運び出来ない水源、未加工物又はガス製造から回収された水、及びそれらの組合せからなる群から選択される、請求項１０に記載の方法。
【請求項１３】
水性相液体のｐＨを、洗浄前に、酸化、蒸留、中和、抽出、イオン交換、及びそれらの組合せから本質的になる群から選択された一つの方法を用いて、少なくとも約７．０に調節する、請求項１０に記載の方法。
【請求項１４】
水性相液体による洗浄を、ＣＯ２含有ガスをＣＯ２選択性吸収剤と接触させ、前記ＣＯ２選択性吸収剤を処理してＣＯ２に富むガス流を形成し、然る後、前記ＣＯ２に富むガス流を前記水性相液体と接触させることにより行う、請求項１０に記載の方法。
【請求項１５】
陸地構成物が、メタン含有ガスを与える源と同じか又は異なる炭化水素質構成物、非炭化水素質構成物、及びそれらの組合せから本質的になる群から選択される、請求項１０に記載の方法。
【請求項１６】
ＣＯ２含有ガスからＣＯ２を除去する方法であって、
ａ）  フィッシャー・トロプシュＧＴＬ工程流及び（又は）炉廃棄ガス中に存在するＣＯ２含有ガスから、ほぼ大気圧より大きな圧力にある水性相液体を用いてＣＯ２を洗浄することであって、そこで水性相液体が洗浄前に少なくとも約７．０のｐＨを有すること、及び
ｂ）  ＣＯ２に富む水性相を、海洋環境、陸地構成物、又はそれらの組合せの少なくとも一つ中に、前記ＣＯ２含有ガスから除去されたＣＯ２の少なくとも約７５％が前記水性相中に残留するのを確実にするのに充分な温度、圧力、及びｐＨで廃棄すること、
を含む上記ＣＯ２除去方法。
【請求項１７】
フィッシャー・トロプシュＧＴＬ工程におけるメタン含有ガスを液体炭化水素へ転化する方法であって、
ａ）  メタン含有ガスを合成ガスへ転化すること、
ｂ）  フィッシャー・トロプシュ工程によって、前記メタン含有ガスの少なくとも一部分を液体炭化水素及び副生成物ＣＯ２含有ガスへ転化すること、
ｃ）  前記ＣＯ２含有ガスから、水性相液体を用い、ほぼ大気圧より大きい圧力でＣＯ２を洗浄し、ＣＯ２に富む水性相を形成することであって、そこで、水性相液体が、フィッシャー・トロプシュ工程の間に形成された反応水、フィッシャー・トロプシュ工程からの使用済み冷却用水及びそれらの混合物からなる群から選択された水を含むこと、及び
ｄ）  前記ＣＯ２に富む水性相を、海洋環境、陸地構成物、又はそれらの構成物の少なくとも一つ中に、前記ＣＯ２含有ガスから除去されたＣＯ２の少なくとも約７５％が前記水性相中に溶解したままになっているのを確実にするのに充分な温度、圧力、及びｐＨで廃棄すること、
を含む上記転化方法。
【請求項１８】
フィッシャー・トロプシュ工程の間に形成された反応水、フィッシャー・トロプシュ工程からの使用済み冷却用水またはそれらの混合物の少なくとも一部分を分離し、ＣＯ２含有ガスからＣＯ２を洗浄するために水性相液体を提供することを更に含む、請求項１７に記載の方法。
【請求項１９】
副生成物であるＣＯ２含有ガスとの接触より前に、水性相液体が少なくとも約７．０のｐＨを有する、請求項１７に記載の方法。
【請求項２０】
アルカリ性物質を加えること、アンモニアを加えること、塩基を加えること、またはそれらの組み合わせによって、水性相液体のｐＨを調節することをさらに含む、請求項１９に記載の方法。
【手続補正２】
【補正対象書類名】明細書
【補正対象項目名】００２７
【補正方法】変更
【補正の内容】
【００２７】
ｐＨ及び酸性汚染物の組成の外、水性流の酸素含有量を限定することも重要である。水性流は洗浄に用いる前に脱気し、水性流のＣＯ２吸収能力を増大し、ガス流中に導入される空気の量を最小限にすることが好ましい。水性流の脱気に適した方法は、当分野でよく知られており、例えば、淡水化プラント及びボイラー供給水の製造のために用いられている。そのような方法は、例えば、ジョンＨ．ペリー（John H. Perry）の「化学工学便覧」（Chemical Engineering Handbook）（マクグロー・ヒル出版社（McGraw Hill Book Co.）、１９６３）第４版、第９頁〜第５１頁に詳細に記載されている。
【手続補正３】
【補正対象書類名】明細書
【補正対象項目名】００４８
【補正方法】変更
【補正の内容】
【００４８】
ミツユキ（Mituyuki）及びシンキチ（Shinkichi）による英国特許出願ＧＢ２１２３０２７には、合成ガス流の炭素酸化物含有量を増大する目的で、合成ガス流（フィッシャー・トロプシュ装置からのものも含まれる）からＣＯ２を洗浄するため、水性吸収剤を使用することを述べている。
【手続補正４】
【補正対象書類名】明細書
【補正対象項目名】００５０
【補正方法】変更
【補正の内容】
【００５０】
本発明の好ましい態様が、図２に描かれている。この好ましい態様では、その処理方式で可能な五つの場所に洗浄器が示されている。示した場所の一つ以上で、種々の組合せで洗浄器を用いることができるが、最も好ましい場所は、番号１４及び番号３３である。この態様では、ＣＨ４、Ｏ２、及びＨ２Ｏを含む供給物流１０がその工程に入る。供給物流１０は、合成ガス形成反応器１２中へ入り、そこで合成ガス流１３が発生する。合成ガスは幾らかのメタンを含み、それは下流のフィッシャー・トロプシュ工程では反応せず、時間と共に濃度が増大する。合成ガス流１３は合成ガス形成反応器１２を出て、第一水性洗浄器１４に入る。水流１５が第一水性洗浄器１４に入り、水性排出流１６が第一水性洗浄器１４を出、その水性排出流は、Ｈ２Ｏ及びＣＯ２を含有する。洗浄された合成ガス流１７も第一水性洗浄器１４を出、フィッシャー・トロプシュ反応器１８に入る。フィッシャー・トロプシュ処理を行い、フィッシャー・トロプシュ蒸気生成物流１９の少なくとも一部分がフィッシャー・トロプシュ反応器１８を出、第二水性洗浄器２０に入る。水流２１が第二水性洗浄器２０へ入り、Ｈ２Ｏ及びＣＯ２を含む水性流２２を生じ、それは水性洗浄器２０を出る。洗浄されたフィッシャー・トロプシュ生成物流２３が、第二水性洗浄器２０を出、分離器２４へ入る。認め得る程の量のＣＯ２を含まない重質生成物は、反応器１８から直接分離器２４へ送られてもよい（図２には示されていない経路）。
【手続補正５】
【補正対象書類名】図面
【補正対象項目名】図２
【補正方法】変更
【補正の内容】
【図２】
2005502460.tif 000001